(57)【要約】【課題】壁下地材が固定される柱部材の収縮によるチリ切れの発生を効果的に回避できると共に、簡易で施工も容易な天井見切り材を提供する。【解決手段】天井と壁との突合せ部１１における天井クロス材１４の縁部の納まりを良好に仕上げるための天井見切り材１０であって、Ｌ字形状部分１５と、このＬ字形状部分１５の角部に回転可能に接合され、Ｌ字形状部分１５の横辺部１６に下方から重ね合されるまで回転して当該横辺部１６に係止される回転係止片部１８とを含んだ断面形状を有しており、Ｌ字形状部分１５の縦辺部１７を壁下地材１２に密着させて壁下地材１２に固定され、横辺部１６に天井下地材１３の端縁部を載置し、回転係止片部１８を横辺部１６に重ね合わせて係止した際に、回転係止片部１８の先端挟込み部１９の上面を天井下地材１３の端縁部の下面と対向させ、これらの間に天井クロス材１４の縁部を挟み込むようにして納めるようになっている。【選択図】図１
2010031553.tif 000002
【特許請求の範囲】
【請求項１】
天井と壁との突合せ部に沿って壁下地材の表面に取付けられ、当該突合せ部における仕上材の縁部の納まりを仕上げる長尺の天井見切り材であって、
直角に折れ曲がったＬ字形状部分と、該Ｌ字形状部分の角部又は角部に近接する横辺部の下面に回転可能に接合され、該Ｌ字形状部分の横辺部に下方から重ね合されるまで回転して当該横辺部に係止される回転係止片部とを含んだ断面形状を有しており、
前記Ｌ字形状部分の縦辺部の背面を壁下地材に密着させた状態で壁下地材の表面に固定され、前記横辺部の上面に天井下地材の端縁部を載置し、前記回転係止片部を前記横辺部に下方から重ね合わせて係止した際に、前記回転係止片部の前記横辺部よりも突出する先端挟込み部を天井下地材の端縁部の下面と対向させ、これらの間に天井仕上材の縁部を挟み込むようにして納める天井見切り材。
【請求項２】
前記Ｌ字形状部分の前記縦辺部は、前記角部に隣接する下端部を除くこれの上方部分が背面側に肉厚に形成されており、該肉厚に形成された上方部分の背面を壁下地材に密着させて前記突合せ部に固定された際に、前記角部に隣接する下端部と壁下地材との間に間隔が保持されて、該間隔部分に壁仕上材の縁部が納められる請求項１に記載の天井見切り材。
【請求項３】
前記Ｌ字形状部分の前記縦辺部の前記角部に隣接する下端部を除くこれの上方部分は、背面に気密材が取付けられていることにより、背面側に肉厚に形成されている請求項２に記載の天井見切り材。
【請求項４】
前記回転係止片部の先端部に回転可能に接合されて、前記回転係止片部に下方から重ね合わされるまで回転して当該回転係止片部に係止されることにより、先端挟込み部が壁下地材の表面と対向して配置される第２回転係止片部を備えており、該第２回転係止片部の先端挟込み部と壁下地材の表面との間に壁仕上材の縁部を挟み込むようにして納める請求項１〜３のいずれかに記載の天井見切り材。
【請求項５】
請求項１〜４のいずれかに記載の天井見切り材を用いた天井と壁との突合せ部の施工方法であって、
天井と壁との突合せ部に沿って、前記天井見切り材を、壁下地材の表面に前記Ｌ字形状部分の縦辺部の背面を密着させて固定し、固定された前記天井見切り材の前記Ｌ字形状部分の横辺部の上面に天井下地材の端縁部を載置して、天井下地材を天井面に沿って設置し、設置した天井下地材の下面に、天井仕上材を、その縁部が前記Ｌ字形状部分の横辺部の先端に近接するまで敷設し、前記回転係止片部を前記Ｌ字形状部分の横辺部に下方から重ね合わされるまで回転して当該横辺部に係止することにより、前記天井仕上材の縁部を、前記回転係止片部の先端挟込み部と天井下地材の端縁部の下面との間に挟み込むようにして納め、しかる後に、壁仕上材を、その縁部が前記Ｌ字形状部分の角部に近接するまで壁下地材の表面に敷設する天井と壁との突合せ部の施工方法。
【発明の詳細な説明】
【技術分野】
【０００１】
本発明は、天井見切り材及び天井と壁との突合せ部の施工方法に関し、特に天井と壁との突合せ部に沿って壁下地材の表面に取付けられ、当該突合せ部における仕上材の縁部の納まりを仕上げる長尺の天井見切り材、及び該天井見切り材を用いた天井と壁との突合せ部の施工方法に関する。
【背景技術】
【０００２】
天井と壁との突合せ部に取付けて用いられ、天井下地材の下面に敷設される天井クロス材等の天井仕上材の縁部や、壁下地材の表面に敷設される壁クロス材等の壁仕上材の縁部の収まりを良好に仕上げるための種々の天井見切り材が提案されている（例えば、特許文献１、特許文献２参照）。また、特許文献１や特許文献２に記載の天井見切り材は、天井クロス材や壁クロス材が収縮した場合でも、これらに生じた収縮を吸収できる機能を備えている。
【０００３】
一方、天井下地材や壁下地材、或いはこれらを支持する柱や根太等の構造躯体が乾燥収縮等によって変形する場合があるが、これらの下地材や構造躯体が変形しても、天井クロス材や壁クロス材の端部が天井見切り材から離間しないようにして、離間した部分から天井下地材や壁下地材が露出するチリ切れを防止できるようにした天井見切り材も開発されている（例えば、特許文献３参照）。
【特許文献１】特開平８−６８１９２号公報
【特許文献２】特開平８−１４４４９５号公報
【特許文献３】特開２００５−２７３１９２号公報
【発明の開示】
【発明が解決しようとする課題】
【０００４】
特許文献３に記載の天井見切り材は、Ｍバーを介在させて野縁に取付けられるものであって、その構成が複雑になると共に、ベース部の縦壁部を壁下地材に接触させた状態を保持して所定の位置に精度良く取り付ける必要があるため、取付け作業に手間がかかることになる。
【０００５】
一方、天井と壁との突合せ部に生じるクロス材等の仕上材のチリ切れは、壁下地材が固定される柱部材の収縮によるものが多いことから、特にこのような柱部材の収縮によるチリ切れの発生を回避することが可能な、より簡易で施工も容易な天井見切り材の開発が要望されている。
【０００６】
本発明は、このような従来の課題に着目してなされたものであり、特に壁下地材が固定される柱部材の収縮によるチリ切れの発生を効果的に回避することができると共に、簡易で施工も容易な天井見切り材、及び該天井見切り材を用いた天井と壁との突合せ部の施工方法を提供することを目的とする。
【課題を解決するための手段】
【０００７】
本発明は、天井と壁との突合せ部に沿って壁下地材の表面に取付けられ、当該突合せ部における仕上材の縁部の納まりを仕上げる長尺の天井見切り材であって、直角に折れ曲がったＬ字形状部分と、該Ｌ字形状部分の角部又は角部に近接する横辺部の下面に回転可能に接合され、該Ｌ字形状部分の横辺部に下方から重ね合されるまで回転して当該横辺部に係止される回転係止片部とを含んだ断面形状を有しており、前記Ｌ字形状部分の縦辺部の背面を壁下地材に密着させた状態で壁下地材の表面に固定され、前記横辺部の上面に天井下地材の端縁部を載置し、前記回転係止片部を前記横辺部に下方から重ね合わせて係止した際に、前記回転係止片部の前記横辺部よりも突出する先端挟込み部を天井下地材の端縁部の下面と対向させ、これらの間に天井仕上材の縁部を挟み込むようにして納める天井見切り材を提供することにより、上記目的を達成したものである。
【０００８】
そして、本発明の天井見切り材によれば、前記Ｌ字形状部分の前記縦辺部は、前記角部に隣接する下端部を除くこれの上方部分が背面側に肉厚に形成されており、該肉厚に形成された上方部分の背面を壁下地材に密着させて前記突合せ部に固定された際に、前記角部に隣接する下端部と壁下地材との間に間隔が保持されて、該間隔部分に壁仕上材の縁部が納められることが好ましい。
【０００９】
また、本発明の天井見切り材によれば、前記Ｌ字形状部分の前記縦辺部の前記角部に隣接する下端部を除くこれの上方部分は、背面に気密材が取付けられていることにより、背面側に肉厚に形成されていることが好ましい。
【００１０】
さらに、本発明の天井見切り材によれば、前記回転係止片部の先端部に回転可能に接合されて、前記回転係止片部に下方から重ね合わされるまで回転して当該回転係止片部に係止されることにより、先端挟込み部が壁下地材の表面と対向して配置される第２回転係止片部を備えており、該第２回転係止片部の先端挟込み部と壁下地材の表面との間に壁仕上材の縁部を挟み込むようにして納めるようにすることが好ましい。
【００１１】
また、本発明は、上記天井見切り材を用いた天井と壁との突合せ部の施工方法であって、天井と壁との突合せ部に沿って、前記天井見切り材を、壁下地材の表面に前記Ｌ字形状部分の縦辺部の背面を密着させて固定し、固定された前記天井見切り材の前記Ｌ字形状部分の横辺部の上面に天井下地材の端縁部を載置して、天井下地材を天井面に沿って設置し、設置した天井下地材の下面に、天井仕上材を、その縁部が前記Ｌ字形状部分の横辺部の先端に近接するまで敷設し、前記回転係止片部を前記Ｌ字形状部分の横辺部に下方から重ね合わされるまで回転して当該横辺部に係止することにより、前記天井仕上材の縁部を、前記回転係止片部の先端挟込み部と天井下地材の端縁部の下面との間に挟み込むようにして納め、しかる後に、壁仕上材を、その縁部が前記Ｌ字形状部分の角部に近接するまで壁下地材の表面に敷設する天井と壁との突合せ部の施工方法を提供することにより、上記目的を達成したものである。
【発明の効果】
【００１２】
本発明の天井見切り材又は天井と壁との突合せ部の施工方法によれば、特に壁下地材が固定される柱部材の収縮によるチリ切れの発生を効果的に回避することができると共に、簡易で施工も容易に行うことができる。
【発明を実施するための最良の形態】
【００１３】
図１（ａ），（ｂ）に示す本発明の好ましい第１実施形態に係る天井見切り材１０は、建物として例えば住宅建築物の居室部における、天井と壁との突合せ部１１に取付けて用いられるものである。すなわち、本第１実施形態では、壁下地材１２に対して天井下地材１３が突き付けとなっているため、特に壁下地材１２が固定される柱、間柱、縦枠等の柱部材が乾燥収縮すると、壁下地材１２と天井下地材１３との間に隙間じることがあるが、このように壁下地材１２と天井下地材１３との間に隙間が生じた場合でも、天井下地材１３の下面に敷設された天井仕上材としての天井クロス材１４の縁部が天井見切り材１０と離間して、天井下地材１３が露出するいわゆるチリ切れが生じないようにすることを目的として、天井見切り材１０が用いられることになる。
【００１４】
そして、本第１実施形態の天井見切り材１０は、天井と壁との突合せ部１１に沿って壁下地材１２の表面に取付けられ、当該突合せ部１１における、特に天井クロス材１４の縁部の納まりを良好に仕上げるために用いる長尺の部材であって、直角に折れ曲がったＬ字形状部分１５と、このＬ字形状部分１５の角部に回転可能に接合され、Ｌ字形状部分１５の横辺部１６に下方から重ね合されるまで回転して当該横辺部１６に係止される回転係止片部１８とを含んだ断面形状を有しており、Ｌ字形状部分１５の縦辺部１７の背面を壁下地材１２に密着させた状態で壁下地材１２の表面に固定され、横辺部１６の上面に天井下地材１３の端縁部を載置し（図１（ａ）参照）、回転係止片部１８を横辺部１６に下方から重ね合わせて係止した際に（図１（ｂ）参照）、回転係止片部１８の横辺部１６よりも突出する先端挟込み部１９の上面を天井下地材１３の端縁部の下面と対向させ、これらの間に天井クロス材１４の縁部を挟み込むようにして納めるようになっている。
【００１５】
本第１実施形態では、壁下地材１２及び天井下地材１３は、何れも、例えばプラスターボード等の耐火ボードからなる。壁下地材１２は、建物の壁部分の構造躯体である柱や間柱等の柱部材（図示せず）に固定釘や固定ビス等を介して一体として固定され、これらと共に挙動するようになっている。また天井下地材１３は、建物の天井部分の構造躯体である野縁２０等に固定釘や固定ビス等を介して一体として固定され、これらと共に挙動するようになっている。
【００１６】
本第１実施形態の天井見切り材１０は、例えば合成樹脂からなる横長の長尺の部材であって、上述のように、直角に折れ曲がったＬ字形状部分１５と、このＬ字形状部分１５の角部に回転可能に接合される回転係止片部１８とを含んだ断面形状を有している。
【００１７】
Ｌ字形状部分１５の縦辺部１７は、その背面部を壁下地材１２に密着させて取付けられる部分であって、その延長方向に所定の間隔をおいて複数のビス孔２１が開口形成されており、このビス孔２１に固定ビス２２を壁下地材１２に向けて打ち込むことにより、固定ビス２２の頭部を縦辺部１７の表面側に突出させない状態で、天井見切り材１０が壁下地材１２に強固に固定されるようになっている。またこれによって、Ｌ字形状部分１５の横辺部１６は、壁下地材１２及び縦辺部１７に対して直角に折れ曲がった状態で、室内側に水平に突出して設けられる。
【００１８】
Ｌ字形状部分１５の横辺部１６は、天井下地材１３の端縁部が載置されてこれを支持すると共に、回転係止片部１８を着脱可能に係止する機能を備える部分である。すなわち、横辺部１６の先端面は、上方に向けて縦辺部１７側に食い込むように斜めに切り欠かれており、これによって鋭角に形成された先端角部を係止突部１６ａとして、この係止凸部１６ａに回転係止片部１８の係止凹部１８ａを係止することにより、回転係止片部１８を横辺部１６に下方から重ね合せた状態で係合できるようになっている。
【００１９】
回転係止片部１８は、Ｌ字形状部分１５の角部の外側に、薄肉のヒンジ接合部２３を介して回転可能に一体として接合される部分である。回転係止片部１８は、そのヒンジ接合部２３側の端部が、略４５度の角度で内側面を斜めに切り欠いた切欠き面部１８ｂとなっていると共に、ヒンジ接合部２３とは反対側の端部が、中間平坦部１８ｃよりも肉厚の先端挟込み部１９をとなっている。また中間平坦部１８ｃと先端挟込み部１９との段差部分には、横辺部１６の係止凸部１６ａと対応する形状の係止凹部１８ａが形成されている。
【００２０】
これらによって、回転係止片部１８をヒンジ接合部２３を中心として回転させ、その弾性変形によって係止凹部１８ａを横辺部１６の係止凸部１６ａに嵌め込むようにして係止することにより、回転係止片部１８の中間平坦部１８ｃが横辺部１６の下面に重ね合されるようにして密着すると共に、切欠き面部１８ｂが、Ｌ字形状部分１５の角部から下方に突出して設けられたヒンジ台座部２４に密着し、且つ先端挟込み部１９の上面を天井下地材１３の端縁部の下面と僅かな間隔を保持して対向させた状態で、回転係止片部１８がＬ字形状部分１５に固定されることになる（図１（ｂ）参照）。
【００２１】
そして、上述の構成を備える天井見切り材１０を用いて、天井と壁との突合せ部１１における天井クロス材１４の縁部の納まりを仕上げるには、まず、壁下地材１２を柱部材に固定して支持させた後に、当該突合せ部１１において、天井下地材１３や壁下地材１２に天井クロス材１４や壁クロス材２５を敷設するのに先立って、天井見切り材１０を、ビス孔２１に固定ビス２２を打ち込むことによりＬ字形状部分１５の縦辺部１７の背面を壁下地材１２の表面に密着させた状態で固定して、突合せ部１１に沿って取り付ける。
【００２２】
次に、固定された天井見切り材１０のＬ字形状部分１５の横辺部１６の上面に天井下地材１３の端縁部を載置して、天井下地材１３を天井面に沿って設置する。また設置した天井下地材１３の下面に、天井クロス材１４を、その縁部がＬ字形状部分１５の横辺部１６の先端に近接（接した状態も含む）するまで敷設する（図１（ａ）参照）。さらに、回転係止片部１８をＬ字形状部分１５の横辺部１６に下方から重ね合わされるまで回転して当該横辺部１６に係止することにより、天井クロス材１４の縁部を、回転係止片部１８の先端挟込み部１９の上面と天井下地材１３の端縁部の下面との間に挟み込むようにして納める（図１（ｂ）参照）。
【００２３】
しかる後に、壁仕上材として、壁クロス材２５を、その縁部がＬ字形状部分１５の角部に近接（接した状態も含む）するまで壁下地材１２の表面に敷設する。
【００２４】
ここで、天井クロス材１４や壁クロス材２５として用いるクロス材としては、布壁紙、紙壁紙、ビニール壁紙等の、壁仕上用のクロス材として知られる公知の種々のクロス材を用いることができる。
【００２５】
また、本第１実施形態では、特に壁下地材１２が固定される柱部材の乾燥収縮による天井クロス材１４の縁部のチリ切れを防止することを目的としており、壁クロス材２５については、乾燥収縮によるチリ切れの惧れがないことから、壁クロス材２５の縁部をＬ字形状部分１５の角部に近接して配置することで仕上げを行っているが、例えば後述する他の形態の天井見切り材１０を用いることによって、壁クロス材２５の縁部のチリ切れに配慮した仕上げや、壁クロス材２５の縁部をより綺麗に納めるための仕上げを行うことができるようになっている。
【００２６】
そして、本第１実施形態によれば、特に壁下地材１２が固定される柱部材の収縮による天井クロス材１４のチリ切れの発生を効果的に回避することが可能になると共に、簡易な構成の天井見切り材１０を用いて容易に施工することが可能になる。
【００２７】
すなわち、本第１実施形態によれば、天井見切り材１０は、Ｌ字形状部分１５と、Ｌ字形状部分１５の角部にヒンジ接合部２３を介して回転可能に接合された回転係止片部１８とからなる簡易な構成を備えていると共に、Ｌ字形状部分１５の縦辺部１７の背面を壁下地材１２に密着させた状態で例えば固定ビス２２を用いて壁下地材１２の表面に容易に固定することができ、且つ横辺部１６の上面に端縁部を載置して天井下地材１３を取付け、天井下地材１３の下面に天井クロス材１４を敷設した後に、回転係止片部１８を回転して当該回転係止片部１８を横辺部１６に下方から重ね合わせて係止するだけの簡単な作業によって、回転係止片部１８の先端挟込み部１９の上面と天井下地材１３の端縁部の下面との間に挟み込むようにして、天井クロス材１４の縁部を容易に納めることが可能になる。
【００２８】
また、これによって天井クロス材１４の縁部は、天井と壁との突合せ部１１において、回転係止片部１８の先端挟込み部１９の上面と天井下地材１３の端縁部の下面との間に挟み込まれるようにして納められるので、例えば壁下地材１２が固定される柱部材が乾燥収縮して壁下地材１２と天井下地材１３との間に隙間が生じても、その飲み込み長さによって、天井クロス材１４の縁部は、先端挟込み部１９と天井下地材１３との間に挟み込まれた状態を保持することになり、したがって天井見切り材１０と離間することがなく、天井下地材１３の縁部のチリ切れを効果的に回避することが可能になる。
【００２９】
図２は、本第１実施形態の天井見切り材１０の他の形態を例示するものである。図２に示す天井見切り材１０によれば、Ｌ字形状部分１５の縦辺部１７は、角部に隣接する下端部１７ａを除くこれの上方部分１７ｂが背面側に肉厚に形成されており、この肉厚に形成された上方部分１７ｂの背面を壁下地材１２に密着させて突合せ部１１に固定された際に、角部に隣接する下端部１７ａと壁下地材１２との間には間隔が保持されて、この間隔部分２６に壁クロス材２５の縁部が納められるようになっている。
【００３０】
図２に示す天井見切り材１０によっても、図１（ａ），（ｂ）の天井見切り材１０と同様の作用効果が奏される他、Ｌ字形状部分１５の縦辺部１７の下端部１７ａと壁下地材１２との間の間隔部分２６に壁クロス材２５の縁部が納められることにより、壁クロス材２５の縁部のチリ切れにも対処することが可能になると共に、壁クロス材２５の縁部を、突合せ部１１においてより綺麗に仕上げることが可能になる。
【００３１】
図３は、本第１実施形態の天井見切り材１０のさらに他の形態を例示するものである。図３に示す天井見切り材１０によれば、Ｌ字形状部分１５の縦辺部１７の角部に隣接する下端部１５ｂを除くこれの上方部分１５ａには、背面に気密材２７が取付けられていることにより、背面側に肉厚に形成されている。図３の天井見切り材１０によっても、Ｌ字形状部分１５の縦辺部１７の下端部１７ａと壁下地材１２との間の間隔部分２６に壁クロス材２５の縁部が納められることにより、図２の天井見切り材１０と同様の作用効果が奏されることになる。
【００３２】
また、本第１実施形態の天井見切り材１０は、図４（ａ）に示すように、回転係止片部１８の先端挟込み部１９の先端に軟質材２８を取り付けておき、回転係止片部１８をＬ字形状部分１５の横辺部１６に重ね合わせるようにして係止した際に、軟質材２８を天井下地材１３の端縁部の下面に密着させた状態で、これらの間に天井クロス材１４の縁部を挟み込むことができるようになっている。これによって、天井下地材１３の端縁部の下面に凹凸がある場合でも、隙間が発生しないようにしつつ天井クロス材１４の縁部を挟み込むことが可能になる。
【００３３】
図５（ａ），（ｂ）は、本発明の第２実施形態の天井見切り材３０を示すものである。本第２実施形態の天井見切り材３０は、上記第１実施形態の天井見切り材１０と略同様の構成を備える他、回転係止片部１８の先端部に回転可能に接合されて、回転係止片部１８に下方から重ね合わされるまで回転して当該回転係止片部１８に係止されることにより、先端挟込み部３１が壁下地材１２の表面と対向して配置される第２回転係止片部３２を備えており、この第２回転係止片部３２の先端挟込み部３１と壁下地材１２の表面との間に、壁クロス材２５の縁部を挟み込みようにして納めるようになっている。
【００３４】
本第２実施形態の天井見切り材３０によっても、天井と壁との突合せ部１１において、回転係止片部１８の先端挟込み部１９の上面と天井下地材１３の端縁部の下面との間に挟み込むようにして天井クロス材１４の縁部を納めることが可能になると共に、第２回転係止片部３２の先端挟込み部３１と壁下地材１２の表面との間に挟み込みようにして壁クロス材２５の縁部を納めることが可能になって、上記第１実施形態の天井見切り材１０と略同様の作用効果が奏されることになる。
【００３５】
図６（ａ），（ｂ）は、本発明の第３実施形態の天井見切り材４０を示すものである。本第３実施形態の天井見切り材４０では、回転係止片部４４は、軟質材４５を介して、Ｌ字形状部分４１の角部と近接する横辺部４２の下面に回転可能に接合されている。また、Ｌ字形状部分４１の縦辺部４３の背面には、両面接着テープ４６が取付けられており、この両面接着テープ４６を介して、天井見切り材４０を壁下地材１２の所定の位置に固定することができるようになっている。さらに、Ｌ字形状部分４１の横辺部４２の先端部分には、テーパー状に斜め下方に折れ曲がった係止凸片４７が一体として設けられており、この係止凸片４７に、回転係止片部４４の内側面に設けられた係止凸リブ４８を係止することにより、回転係止片部４４をＬ字形状部分４１の横辺部４２に下方から重ね合せた状態で係合することができるようになっている。さらに、回転係止片部４４の先端部には、当接凸リブ４９が設けられており、回転係止片部４４をＬ字形状部分４１の横辺部４２に重ね合せて係合した際に、当接凸リブ４９を天井下地材１３の端縁部の下面に当接させることができるようになっている。
【００３６】
そして、本第３実施形態の天井見切り材４０によっても、天井と壁との突合せ部１１において、回転係止片部４４の係止凸リブ４８と当接凸リブ４９との間の部分による先端挟込み部５０と、天井下地材１３の端縁部の下面との間に挟み込むようにして、天井クロス材１４の縁部を納めることが可能になると共に、軟質材４５と壁下地材１２の表面との間の間隔部分５１に壁クロス材２５の縁部を納めることが可能になって、上記第１実施形態の天井見切り材１０と略同様の作用効果が奏されることになる。
【００３７】
また、本第３実施形態の天井見切り材４０によれば、Ｌ字形状部分４１の横辺部４２の先端部分に形成された係止凸片４７は、テーパー状に斜め下方に折れ曲がった形状を備えているので、図７に示すように、このテーパー状の係止凸片４７に案内させながら、天井下地材１３の端縁部をＬ字形状部分４１の横辺部４２と野縁２０との間に装着することが可能になり、これによって天井下地材１３の端縁部を横辺部１６の上面に載置する作業をよりスムーズに行うことが可能になる。
【００３８】
なお、本発明は上記実施形態に限定されることなく種々の変更が可能である。例えば、回転係止片部をＬ字形状部分に回転可能に接合する手段は、上述のヒンジ接合部や軟質材によるものの他、公知の各種の連結金物等を用いることもできる。また、天井仕上材や壁仕上材は、天井クロス材や壁クロス材である必要は必ずしもなく、吹付け、塗り壁、塗装等による仕上材であっても良い。
【図面の簡単な説明】
【００３９】
【図１】（ａ），（ｂ）は、本発明の好ましい第１実施形態に係る天井見切り材を用いて、天井と壁との突合せ部におけるクロス材の縁部の納まりを仕上げる状況を説明する要部断面図である。
【図２】他の形態に係る天井見切り材を用いて、天井と壁との突合せ部におけるクロス材の縁部の納まりを仕上げる状況を説明する要部断面図である。
【図３】他の形態に係る天井見切り材を用いて、天井と壁との突合せ部におけるクロス材の縁部の納まりを仕上げる状況を説明する要部断面図である。
【図４】他の形態に係る天井見切り材の構成を説明する断面図である。
【図５】（ａ），（ｂ）は、本発明の好ましい第２実施形態に係る天井見切り材を用いて、天井と壁との突合せ部におけるクロス材の縁部の納まりを仕上げる状況を説明する要部断面図である。
【図６】（ａ）は、本発明の好ましい第３実施形態に係る天井見切り材を用いて、天井と壁との突合せ部におけるクロス材の縁部の納まりを仕上げる状況を説明する要部断面図、（ｂ）は、本発明の好ましい第３実施形態に係る天井見切り材の断面図である。
【図７】本発明の好ましい第３実施形態に係る天井見切り材を介して壁下地材を取り付ける状況を説明する要部断面図である
【符号の説明】
【００４０】
１０，３０，４０  天井見切り材
１１  天井と壁との突合せ部
１２  壁下地材
１３  天井下地材
１４  天井クロス材（天井仕上材）
１５，４１  Ｌ字形状部分
１６，４２  Ｌ字形状部分の横辺部
１６ａ  係止凸部
１７，４３  Ｌ字形状部分の縦辺部
１８，４４  回転係止片部
１８ａ  係止凹部１８ａ
１９，３１  先端挟込み部
２０  野縁
２３  ヒンジ接合部
２５  壁クロス材（壁仕上材）
２６  縦辺部の下端部と壁下地材との間の間隔部分
２７  気密材
３２  第２回転係止片部
４５  軟質材
【図１】
2010031553.tif 000003
【図２】
2010031553.tif 000004
【図３】
2010031553.tif 000005
【図４】
2010031553.tif 000006
【図５】
2010031553.tif 000007
【図６】
2010031553.tif 000008
【図７】
2010031553.tif 000009